(57)【要約】      （修正有）【課題】抵抗体の摩耗度合いを低減して、多方向入力装置の制御精度を向上できるフレキシブル電気回路基板及び多方向入力装置を提供する。【解決手段】フレキシブル電気回路基板１０は基板１１と導電電気回路１３を含む。基板の材質はポリイミドであり、導電電気回路は基板に設置される。導電電気回路はそれぞれ独立した入力線、グラウンド線及び出力線を含み、導電電気回路はさらに少なくとも一つの抵抗体１５を含み、抵抗体は基板に設置されて、一つの抵抗体は入力線とグラウンド線を直接接続する。【選択図】図２
0003226400.tif 000002
【実用新案登録請求の範囲】
【請求項１】
ゲーム機の多方向入力装置に応用されるフレキシブル電気回路基板であって、前記フレキシブル電気回路基板は：
ポリイミドを材質とする基板と；
前記基板に設置されている導電電気回路であって、それぞれ独立した入力線、グラウンド線及び出力線を含み、前記出力線にはさらに接触部が設置されて、前記導電電気回路はさらに少なくとも一つの抵抗体を含み、前記抵抗体は前記基板に設置されて、一つの前記抵抗体は前記入力線と前記グラウンド線を直接接続する導電電気回路と、を含む
ことを特徴とするフレキシブル電気回路基板。
【請求項２】
前記導電電気回路の数は少なくとも二つであり、その中の一つはＸ方向に配置された電気回路であり、もう一つはＹ方向に配置された電気回路である
ことを特徴とする請求項１に記載のフレキシブル電気回路基板。
【請求項３】
前記接触部は一つの抵抗体である
ことを特徴とする請求項１に記載のフレキシブル電気回路基板。
【請求項４】
前記抵抗体の材質は炭素とレジン（ｒｅｓｉｎ）により構成されているカーボンペースト印刷体である
ことを特徴とする請求項１に記載のフレキシブル電気回路基板。
【請求項５】
ゲーム機に応用される多方向入力装置であって、前記多方向入力装置はケース、操作部、可動端子及び請求項１から４の何れか一項に記載のフレキシブル電気回路基板を含み、前記可動端子は前記操作部により駆動され、前記可動端子の一端は前記抵抗体と電気的に接続され、他端は一つの前記出力線の接触部と電気的に接続されて信号回路を構成する
ことを特徴とする多方向入力装置。
【考案の詳細な説明】
【技術分野】
【０００１】
本考案はゲーム装置の技術分野に関し、特にフレキシブル電気回路基板及び多方向入力装置に関する。
【背景技術】
【０００２】
関連技術において、ゲーム機の多方向入力装置を設計する際に、構造の簡略化及び軽薄化のために、従来のプリント電気回路基板をフレキシブル電気回路基板に置き換えることがある。関連技術中のフレキシブル電気回路基板を使用時、その導電する接続部位において摩耗が起きやすく、さらには多方向入力装置の精度低下につながる。
【０００３】
上記内容は本願の技術案の理解を助けるために用いられ、上記内容が先行技術だと認めるわけではない。
【考案の概要】
【考案が解決しようとする課題】
【０００４】
本考案の主な目的は、抵抗体の摩耗度合いを低減して、多方向入力装置の制御精度を向上させるためのフレキシブル電気回路基板を提供することである。
【課題を解決するための手段】
【０００５】
上記目的を実現するために、本考案が提案するフレキシブル電気回路基板はゲーム機の多方向入力装置に応用され、前記フレキシブル電気回路基板は：
ポリイミドを材質とする基板と；
前記基板に設置されている導電電気回路であって、それぞれ独立した入力線、グラウンド線及び出力線を含み、前記出力線にはさらに接触部が設置されて、前記導電電気回路はさらに少なくとも一つの抵抗体を含み、前記抵抗体は前記基板に設置されて、一つの前記抵抗体は前記入力線と前記グラウンド線を直接接続する導電電気回路と、を含む。
【０００６】
本考案の一実施例において、前記導電電気回路の数は少なくとも二つであり、その中の一つはＸ方向電気回路であり、もう一つはＹ方向電気回路である。
【０００７】
本考案の一実施例において、前記接触部は一つの抵抗体である。
【０００８】
本考案の一実施例において、前記抵抗体の材質は炭素とレジン（ｒｅｓｉｎ）により構成されるカーボンペースト印刷体である。
【０００９】
本考案はさらに多方向入力装置を提案する。前記多方向入力装置はケース、操作部、可動端子及びフレキシブル電気回路基板を含み、前記可動端子は前記操作部により駆動され、前記可動端子の一端は前記抵抗体と電気的に接続され、他端は一つの前記出力線の接触部と電気的に接続されて信号回路を構成する。前記フレキシブル電気回路基板は：
ポリイミドを材質とする基板と；
前記基板に設置されている導電電気回路であって、それぞれ独立した入力線、グラウンド線及び出力線を含み、前記導電電気回路はさらに少なくとも一つの抵抗体を含み、前記抵抗体は前記基板に設置されて、一つの前記抵抗体は前記入力線と前記グラウンド線を直接接続する導電電気回路と、を含む。
【００１０】
本考案の技術案において、抵抗体は入力線とグラウンド線を直接接続すると共に、使用時、多方向入力装置の可動端子を通して出力線の接触部に接続されることで、導電電気回路を導通させる。抵抗体は多方向入力装置の可動端子と接触を保つことにより、多方向入力装置が安定した電圧信号変化を生じられるようにして、さらには多方向入力装置が転位信号の生成を制御できるようにする。それとともに、基板の材質をポリイミドに設定して、抵抗体を基板と一緒に設置する場合、ポリイミドの材料の特性により、短時間で４００度の温度での焼結を耐えることができ、成型の過程において、高温焼結により、抵抗体は自身の硬度を高めることができ、硬度の向上もまた可動端子の抵抗体に対する摩擦や摩耗による損耗を減少して、さらに多方向入力装置の制御精度を向上できる。
【図面の簡単な説明】
【００１１】
本考案の実施例及び従来技術の技術案をより明確に説明するため、以下では、実施例或いは従来技術の説明に必要とされる添付図面を簡単に紹介する。下記説明における添付図面は本考案の一部の実施例に過ぎないことは明らかであって、当業者にとって、創造的な労働を行わないことを前提に、これらの添付図面に示す構造に基づいて他の添付図面を得ることができる。
【図１】本考案の多方向入力装置の一実施例の全体構造模式図である。
【図２】本考案の多方向入力装置の一実施例の分解構造模式図である。
【図３】本考案の一実施例のフレキシブル電気回路基板を可動端子と組み合わせて使用する構造模式図である。
【図４】本考案のフレキシブル電気回路基板の一実施例の分解構造模式図である。
【図５】本考案のフレキシブル電気回路基板の導電電気回路及び可動端子の一実施例の簡略化模式図である。  添付図面を参照して、実施例と組み合わせて本考案の目的の実現、機能特徴及び長所をさらに説明する。
【考案を実施するための形態】
【００１２】
以下では、本考案の実施例における添付図面と組み合わせ、本考案の実施例における技術案を明確且つ十分に説明する。説明される実施例は本考案の全ての実施例ではなく、本考案の一部の実施例に過ぎないことは、明らかである。本考案における実施例に基づいて、当業者が創造的な労働を行わないことを前提に得られた全ての他の実施例は、本考案の保護する範囲に属す。
【００１３】
本考案において、別途明確な規定や限定がない限り、術語「接続」、「固定」などは広義に理解されるべきである。例えば、「固定」は固定的な接続でもよく、取り外し可能な接続でもよく、或いは一体としてもよい；機械的な接続でもよく、電気的な接続でもよい；直接につながってもよく、中間にある媒介によって間接的につながってもよく、二つの素子内部の連通或いは二つの素子の相互作用関係であってもよい。当業者にとって、具体的な状況により上記術語の本考案における具体的な意味を理解できる。
【００１４】
また、本考案の実施例において「第一」、「第二」等の説明は説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることがその基礎となる。技術案の組み合わせに矛盾が生じるか、実現できない場合には、このような技術案の組み合わせは存在せず、且つ本考案が請求する保護範囲にないと理解すべきである。
【００１５】
本考案はフレキシブル電気回路基板１０を提案する。
【００１６】
図１から図５を参照し、本考案の実施例では、本考案が提案するフレキシブル電気回路基板１０はゲーム機の多方向入力装置１００（多方向入力装置１００は即ち方向の入力を制御する装置で、ゲーム機のゲームパッドのジョイスティック構造でもよいし、ゲームパッドの方向ボタン入力構造でもよい）に応用される。フレキシブル電気回路基板１０は基板１１と導電電気回路１３を含む。基板１１はポリイミド材質とすることは可能である。ポリイミド（ＰＩ、Ｐｏｌｙｉｍｉｄｅ）は優れた耐高低温性、電気絶縁性、接合性、耐放射性及び耐薬品性を有し、−２６９℃〜２８０℃の温度範囲で長期にわたって使用でき、短期間で４００℃の高温に達することができ、加工と使用が便利である。導電電気回路１３は基板１１に設置され、導電電気回路１３はそれぞれ独立した入力線１３４、グラウンド線１３３及び出力線１３０を含み、出力線１３０にはさらに接触部１３０ａが設置されて、導電電気回路１３はさらに少なくとも一つの抵抗体１５を含み、抵抗体１５は基板１１に設置されて、一つの抵抗体１５は入力線１３４とグラウンド線１３３を直接接続する。入力線１３４、出力線１３０とグラウンド線１３３の材質については、例えば銅を用いることができる。銅材は比較的よい導電性能を持つと同時に、比較的よい耐磨耗性を持つ。抵抗体１５の材質については、例えば、炭素とレジン（ｒｅｓｉｎ）により構成されるカーボンペースト印刷体を用いることができる。カーボンペースト印刷体は優れた印刷性及び耐熱、耐湿性を持ち、導電性も安定している。そして、抵抗値が安定して、変化率が小さい特徴を持ち、比較的高い温度でのベーキングにおいての本製品の抵抗値がより安定している。これによりさらに制御信号の安定性を向上できる。
【００１７】
本考案において、出力線１３０の接触部１３０ａを（例えば上記の抵抗体１５の材質と同じ材質の）一つの抵抗体とすることで、可動端子７０の制御精度を高めやすくできる。勿論、出力線１３０の接触部１３０ａを銅片で出力線１３０の材質と同じくして、可動端子７０を出力線１３０の接触部１３０ａに直接接続することで、構造を簡略化することも可能である。
【００１８】
本考案の技術案において、抵抗体１５は入力線１３４とグラウンド線１３３を直接接続すると共に、使用時、多方向入力装置１００の可動端子７０を通して出力線１３０の接触部１３０ａに接続されることで、導電電気回路１３を導通させる。抵抗体１５は多方向入力装置１００の可動端子７０と接触を保つことにより、多方向入力装置１００が安定した電圧信号変化を生じられるようにし、さらには多方向入力装置１００が転位信号の生成を制御できるようにする。それとともに、基板１１の材質をポリイミドに設定して、抵抗体１５を基板１１と一緒に設置する場合、ポリイミドの材料の特性により、短時間で４００度の温度での焼結を耐えることができ、成型の過程において、高温焼結により、抵抗体１５は自身の硬度を高めることができ、硬度の向上もまた可動端子７０の抵抗体１５に対する摩擦や摩耗による損耗を減少して、さらに多方向入力装置１００の制御精度を向上できる。
【００１９】
図３と図４を組み合わせて参照し、本考案の一実施例では、導電電気回路の数は少なくとも二つであり、その中の一つはＸ方向電気回路であり、もう一つはＹ方向電気回路である。
【００２０】
導電電気回路１３を少なくとも二つ設置することで、Ｘ方向信号とＹ方向信号を生成できるようにして、これにより平面制御効果を形成する。三つ設置することで、立体的制御の効果を果たすことも可能である。さらには、四つ以上設置することで、多角度制御の効果を実現する。
【００２１】
一実施例において、二つの導電電気回路を設置する時、二つの導電電気回路１３のグラウンド線１３３を共用して、二つの導電電気回路１３の入力線１３４を共用することで、配線の配置を簡略化することは可能である。例えば、フレキシブル電気回路基板１０の電気回路は：グラウンド線１３３、Ｘ方向出力線１３１、Ｙ方向出力線１３２と入力線１３４を含み、抵抗体１５は入力線１３４とグラウンド線１３３を電気的に接続する。
【００２２】
Ｘ方向出力線１３１はＸ軸方向の信号を生成できる。使用時、一つの可動端子７０の一端はＸ方向出力線１３１に連通し、他端は抵抗体１５と接続されている。抵抗体１５が入力線１３４とグラウンド線１３３を接続することにより、フレキシブル電気回路基板１０の応用時、当該回路がＸ信号回路を形成する。
【００２３】
Ｙ方向出力線１３２はＹ軸方向の信号を生成できる。使用時、一つの可動端子７０の一端はＹ方向出力線１３２に連通し、他端は抵抗体１５と接続されている。抵抗体１５が入力線１３４とグラウンド線１３３を接続することにより、フレキシブル電気回路基板１０の応用時、当該回路がＹ信号回路を形成する。
【００２４】
こうして、上記の回路設定により、正確なＸ軸信号とＹ軸信号を生成して、さらには一つの完全な転移信号を生成でき、これにより転移精度の正確な制御を実現できる。
【００２５】
図２と図４を組み合わせて参照し、本考案の一実施例において、基板１１は本体板１１１と保護板１１３を含み、導電電気回路１３は本体板１１１の一つの表面に設けられ、保護板１１３は少なくとも一部の導電電気回路１３を覆い、保護板１１３にはさらに抵抗体１５と一部の導電線を露出させるための退避口１１３１が設けられている。
【００２６】
本体板１１１と保護板１１３の材質は何れもポリイミド材質とすることが可能である。導電電気回路１３を保護板１１３と本体板１１１の間に設置することで、導電電気回路１３の損傷を防げる。退避口１１３１の設置は、抵抗体１５と導電電気回路１３の取り付けや加工を便利にできる。
【００２７】
さらに、導電電気回路１３は本体板１１１に接着されている。導電電気回路１３を本体板１１１に接着することで、導電電気回路１３の設置と加工を便利にできる。
【００２８】
図１と図２を組み合わせて参照し、本考案ではさらに、フレキシブル電気回路基板１０を含む多方向入力装置１００を提案する。当該フレキシブル電気回路基板１０の具体的な構造については、上記実施例を参照されたい。多方向入力装置１００は上記全ての実施例の全ての技術案を採用したので、少なくとも上記実施例の技術案がもたらす全ての有益効果を有し、ここでは逐一贅言しない。多方向入力装置１００はケース３０、操作部５０、可動端子７０及びフレキシブル電気回路基板１０を含み、可動端子７０は操作部５０と共に動作し、可動端子７０の一端は抵抗体１５と電気的に接続され、他端は一つの出力線１３０の接触部１３０ａと電気的に接続されて信号回路を形成する。
【００２９】
以上に述べたことは本考案の好ましい実施例に過ぎず、それによって本考案の請求の範囲を制限するわけではない。本考案の構想の下、本考案の明細書及び添付図面の内容を利用してなされた等価構造変換、或いは他の関連する技術分野への直接／間接的な応用は、何れも本考案の保護範囲に含まれる。
【符号の説明】
【００３０】
１００  多方向入力装置
１０  フレキシブル電気回路基板
１１  基板
１１１  本体板
１１３  保護板
１１３１  退避口
１３  導電電気回路
１３０  出力線
１３０ａ  接触部
１３１  Ｘ方向出力線
１３２  Ｙ方向出力線
１３３  グラウンド線
１３４  入力線
１５  抵抗体
３０  ケース
５０  操作部
７０  可動端子
【図１】
0003226400.tif 000003
【図２】
0003226400.tif 000004
【図３】
0003226400.tif 000005
【図４】
0003226400.tif 000006
【図５】
0003226400.tif 000007
【手続補正書】
【提出日】令和2年3月3日(2020.3.3)
【手続補正１】
【補正対象書類名】実用新案登録請求の範囲
【補正対象項目名】全文
【補正方法】変更
【補正の内容】
【実用新案登録請求の範囲】
【請求項１】
ゲーム機の多方向入力装置に応用されるフレキシブル電気回路基板であって、前記フレキシブル電気回路基板は：
ポリイミドを材質とする基板と；
前記基板に設置されている導電電気回路であって、それぞれ独立した入力線、グラウンド線及び出力線を含み、前記出力線にはさらに接触部が設置されて、前記導電電気回路はさらに少なくとも一つの抵抗体を含み、前記抵抗体は前記基板に設置されて、一つの前記抵抗体は前記入力線と前記グラウンド線を直接接続する導電電気回路と、を含む
ことを特徴とするフレキシブル電気回路基板。
【請求項２】
前記導電電気回路の数は少なくとも二つであり、その中の一つはＸ方向に配置された電気回路であり、もう一つはＹ方向に配置された電気回路である
ことを特徴とする請求項１に記載のフレキシブル電気回路基板。
【請求項３】
前記接触部は一つの抵抗体である
ことを特徴とする請求項１に記載のフレキシブル電気回路基板。
【請求項４】
前記抵抗体は炭素とレジン（ｒｅｓｉｎ）により構成されているカーボンペースト印刷体である
ことを特徴とする請求項１に記載のフレキシブル電気回路基板。
【請求項５】
ゲーム機に応用される多方向入力装置であって、前記多方向入力装置はケース、操作部、可動端子及び請求項１から４の何れか一項に記載のフレキシブル電気回路基板を含み、前記可動端子は前記操作部により駆動され、前記可動端子の一端は前記抵抗体と電気的に接続され、他端は一つの前記出力線の接触部と電気的に接続されて信号回路を構成する
ことを特徴とする多方向入力装置。